(57)【要約】      （修正有）【課題】ブーツ保管時にブーツの形状を確実に保持でき、ブーツ内の通気性が保たれるブーツの保持具を提供する。【解決手段】空気の圧入によってブーツの脹脛部形状に相当する外形部が形成されるプラスチック製の長筒状袋体１ａでなり、保管時のブーツに緩挿してブーツの形状を保持するブーツの形状保持具１である。長筒状袋体１ａには、上部壁又は下部壁に圧縮空気注入・排出用バルブ１ｄが備えられ、長筒状袋体１ａの内部に、その両端縁が一方側の内壁面と他方側の内壁面に固着され、かつブーツの靴幅方向に介設されてなる縦長のプラスチック製仕切板１ｂが設けられてなる。【選択図】図１
0003188786.tif 000002
【実用新案登録請求の範囲】
【請求項１】
空気の圧入によってブーツの脹脛部形状に相当する外形部が形成されるプラスチック製の長筒状袋体（１ａ）でなり、保管時のブーツ（２）に緩挿して該ブーツの形状を保持するブーツの形状保持具（１）であって、
該長筒状袋体（１ａ）には、上部壁又は下部壁に圧縮空気注入・排出用バルブ（１ｄ）が備えられ、前記長筒状袋体（１ａ）の内部に、その両端縁部が一方側の内壁面と他方側の内壁面に固着され、かつブーツの靴幅方向に介設されてなる縦長のプラスチック製仕切板（１ｂ）が設けられてなることを特徴とするブーツの形状保持具。
【請求項２】
前記長筒状袋体（１ａ）内部のブーツの靴幅方向に介設されてなる縦長のプラスチック製の仕切板（１ｂ）は、１又は複数個の空気流通孔（１ｃ）を備えてなることを特徴とする請求項１に記載のブーツの形状保持具。
【請求項３】
前記長筒状袋体（１ａ）内部のブーツの靴幅方向に介設されてなる縦長の仕切板（１ｂ）の左右幅は、前記長筒状袋体（１ａ）に空気を圧入したときの最大幅より狭く、前記長筒状袋体（１ａ）をブーツ（２）に緩挿したとき前記ブーツ（２）の脹脛部内壁と前記縦長の仕切板（１ｂ）が設けられた部分の前記長筒状袋体（１ａ）の左右側壁との間に上下方向に空気が流通する溝状の間隙（７）が生ずるようにしてなることを特徴とする請求項１又は２に記載のブーツの形状保持具。
【請求項４】
前記長筒状袋体（１ａ）が透明なプラスチック製であり、その表面に光触媒層（３）を形成してなることを特徴とする請求項１〜３のいずれか１項に記載のブーツの形状保持具。
【請求項５】
前記光触媒層（３）が、アナターゼ型酸化チタンであることを特徴とする請求項４に記載のブーツの形状保持具。
【請求項６】
前記光触媒層（３）が噴霧により形成されたものであることを特徴とする請求項４又は５に記載のブーツの形状保持具。
【請求項７】
前記光触媒層（３）が塗布により形成されたものであることを特徴とする請求項４又は５に記載のブーツの形状保持具。
【請求項８】
１足のブーツ（２）を並置して保管するため、二つのブーツの形状保持具（１）の上部に、相互に連結するための連結具（６）をそれぞれ備えてなることを特徴とする請求項１〜７のいずれか１項に記載のブーツの形状保持具。
【考案の詳細な説明】
【技術分野】
【０００１】
本考案は、ブーツ保管時にブーツ形状を保持するブーツの保持具に関する。
【背景技術】
【０００２】
従来、革やゴム・ビニール又は布製で、膝の辺りまで丈のある長靴は、ブーツと称され、多くの人に着用されているが、このようなブーツでは、その足首部から上方に延在する筒状部が長いため、保管する際、前記筒状部が折れ曲がって型崩れし、その折れ曲がった部分に折れ皺や傷が生じがちという問題があった。
そして、ブーツは踝から膝を覆う筒状部が長く、その筒状部は肌との密着性が高いため着用時における通気性が非常に悪く、発汗しやすく、蒸れやすいという問題点もある。
また、保管時でも、筒状部の丈が長いために靴の内部、特に爪先から踵にかけての部分の通気が悪く空気が滞りがちで、悪臭が生じたり、カビが生じたりすることから、ブーツは手入れが非常に難しいものとされている。
【０００３】
このような型崩れ等を防止するものとして、本考案者は先に実用新案登録第３０８１３１８号によって、「膨出時にブーツ筒状部の内部脹脛形状に相当する外形を形成する透明プラスチック製の筒状袋体であって、その上部壁に圧縮空気注入・排出用バルブを備えたブーツの形状保持具」の発明を開示した。
【先行技術文献】
【特許文献】
【０００４】
【特許文献１】実用新案登録第３０８１３１８号
【考案の概要】
【考案が解決しようとする課題】
【０００５】
しかし、前記特許文献１の考案によって、ブーツの保管時の型崩れについては解消できたものの、ブーツ着用時の通気性が悪いことによっての発汗しやすさ、蒸れやすさからこのような状態のままで上記発明のブーツの保持具を使用して保管すると、前記ブーツ保持具の筒状袋体がブーツの筒状部の内壁に密着し、靴内部、特に爪先から踵にかけての空間の空気が滞ることによる悪臭の発生や、カビ発生の恐れについては完全に解決するに至っていなかった。
本考案は上記課題に基づいてなされたもので、前記ブーツの保持具のさらなる補強によって保管時ブーツの型崩れに対するより高い抑止力とブーツ内の通気性を確保できるブーツの形状保持具を提供しようとするものである。
【課題を解決するための手段】
【０００６】
本考案者は前記課題を下記手段によって解決した。
（１）空気の圧入によってブーツの脹脛部形状に相当する外形部が形成されるプラスチック製の長筒状袋体でなり、保管時のブーツに緩挿して該ブーツの形状を保持するブーツの形状保持具であって、
該長筒状袋体には、上部壁又は下部壁に圧縮空気注入・排出用バルブが備えられ、前記長筒状袋体の内部に、その両端縁部が一方側の内壁面と他方側の内壁面に固着され、かつブーツの靴幅方向に介設されてなる縦長のプラスチック製仕切板が設けられてなることを特徴とするブーツの形状保持具。
（２）前記長筒状袋体内部のブーツの靴幅方向に介設されてなる縦長のプラスチック製の仕切板は、１又は複数個の空気流通孔を備えてなることを特徴とする（１）に記載のブーツの形状保持具。
（３）前記長筒状袋体内部のブーツの靴幅方向に介設されてなる縦長の仕切板の左右幅は、前記長筒状袋体に空気を圧入したときの最大幅より狭く、前記長筒状袋体をブーツに緩挿したとき前記ブーツの脹脛部内壁と前記縦長の仕切板が設けられた部分の前記長筒状袋体の左右側壁との間に上下方向に空気が流通する溝状の間隙が生ずるようにしてなることを特徴とする（１）又は（２）に記載のブーツの形状保持具。
【０００７】
（４）前記長筒状袋体（１ａ）が透明なプラスチック製であり、その表面に光触媒層を形成してなることを特徴とする（１）〜（３）のいずれか１項に記載のブーツの形状保持具。
（５）前記光触媒層が、アナターゼ型酸化チタンであることを特徴とする（４）に記載のブーツの形状保持具。
（６）前記光触媒層が噴霧により形成されたものであることを特徴とする（４）又は（５）に記載のブーツの形状保持具。
（７）前記光触媒層が塗布により形成されたものであることを特徴とする（４）又は（５）に記載のブーツの形状保持具。
【０００８】
（８）１足のブーツを並置して保管するため、二つのブーツの形状保持具の上部に、相互に連結するための連結具をそれぞれ備えてなることを特徴とする（１）〜（７）のいずれか１項に記載のブーツの形状保持具。
【考案の効果】
【０００９】
本考案のブーツの形状保持具は、空気の圧入によってブーツの脹脛部形状に相当する外形部が形成されるプラスチック製の長筒状袋体でなり、保管時のブーツに緩挿して該ブーツの形状を保持するものであって、
該長筒状袋体には、上部壁又は下部壁に圧縮空気注入・排出用バルブが備えられ、前記長筒状袋体の内部に、その両端縁部が一方側の内壁面と他方側の内壁面に固着され、かつブーツの靴幅方向に介設されてなる縦長のプラスチック製仕切板が設けられているので、
ブーツの脹脛部を含む足首から膝に至る筒状部が折れ曲がることなく、かつ脹脛部の形状を正確に保持することができる。
【００１０】
そして、前記長筒状袋体の内部のブーツの靴幅方向に介設されてなる縦長のプラスチック製仕切板は、１又は複数個の空気流通孔を備えていて、前記長筒状袋体の上部壁又は下部壁に設けられた圧縮空気注入・排出用バルブから空気を注入すると、前記仕切板で前後に仕切られた長筒状袋体は均等に膨出し、ブーツの筒状部内壁と長筒状袋体外周面との密着性は前記縦長の仕切板が介設された部分を除き損なわれることがなく、ブーツの脹脛部の形状を正確に保持することができる。
【００１１】
また、前記長筒状袋体内部にブーツの靴幅方向に介設されたプラスチック製仕切板の左右幅は、前記長筒状袋体に空気を圧入したときの最大幅より狭く、そのためブーツ筒状部内壁とブーツの形状保持具の内部に縦長の仕切板が介設された部分の外壁との間には上下方向に空気が流通する溝状の間隙ができることとなり、したがってブーツを長期間保管しても靴内部の通気性が保たれるため、悪臭の発生もなく衛生的であり、かつカビ等の発生も抑えられる。
【００１２】
さらに、前記長筒状袋体が透明なプラスチック製であり、その表面に光触媒層を設けることにより、太陽光や蛍光灯の光の照射下で、光触媒層による光触媒反応により、該光触媒層が接触するブーツ内面の抗菌・消臭効果が得られるとともに、手入れも非常に容易となるので好ましい。
【００１３】
さらにまた、１足のブーツを並置して保管するため、二つのブーツの形状保持具の上部に、相互に連結するための連結具をそれぞれ備えているため、ブーツ１足ごと整理して格納保管でき、玄関の下駄箱やロッカー等の収納スペースを効率的に使用することができる。
【００１４】
本ブーツの形状保持具は、圧縮空気注入・排出用バルブを備えており、使用時には空気を圧入して膨出させ、不使用時には空気を排出して平板状として保管できるので、保管場所をとらず、また外出時には携帯もできる利便性を備えている。
【図面の簡単な説明】
【００１５】
【図１】本考案実施例のブーツの形状保持具の斜視図
【図２】本考案実施例のブーツの形状保持具をブーツに緩挿した状態の斜視図（ａ）とそのＡ−Ａ’断面図（ｂ）
【図３】本考案実施例のブーツの形状保持具に抗菌・脱臭作用を付与する手順の説明斜視図（１）
【図４】本考案実施例のブーツの形状保持具に抗菌・脱臭作用を付与する手順の説明斜視図（２）
【図５】本考案実施例のブーツの形状保持具に抗菌・脱臭作用を付与する手順の説明斜視図（３）
【図６】本考案実施例のブーツの形状保持具に抗菌・脱臭作用を付与する手順の説明斜視図（４）
【図７】本考案の連結具を備えたブーツの形状保持具の使用例を示す斜視図
【考案を実施するための形態】
【００１６】
ここで、本考案を実施するための形態について実施例の図に基づいて説明する。
図１は本考案実施例のブーツの形状保持具の斜視図、図２は本考案実施例のブーツの形状保持具をブーツに緩挿した状態の斜視図（ａ）とそのＡ−Ａ’断面図であり、図３〜図６は本考案実施例のブーツの形状保持具に抗菌・脱臭作用を付与する手順の説明斜視図である。
また図７は本考案の連結具を備えたブーツの形状保持具の使用例を示す斜視図である。
図中、１はブーツの形状保持具、１ａは長筒状袋体、１ｂは仕切板、１ｃは空気流通孔、１ｄは圧縮空気注入・排出用バルブである。また、２はブーツ、２ａはブーツの筒状部、３は光触媒層、４はスプレー、５は光触媒液、６は連結具、７は間隙である。
【００１７】
本考案のブーツの形状保持具１は、図１に示すように、空気の圧入によってブーツ２の脹脛部形状に相当する外形部が形成されるプラスチック製の長筒状袋体１ａでなり、該長筒状袋体１ａには、上部壁又は下部壁に圧縮空気を注入し、排出するための圧縮空気注入・排出用バルブ１ｄが備えられ、また前記長筒状袋体１ａの内部に、その両端縁部が一方側の内壁面と他方側の内壁面に固着され、かつブーツ２の靴幅方向に介設されてなる縦長のプラスチック製仕切板１ｂが設けられており、図２（ａ）に示すように、ブーツ２を着用しない場合や保管時に該ブーツ２に緩挿して使用されるものである。
【００１８】
そして、ブーツの形状保持具１の長筒状袋体１ａ、及び該長筒状袋体１ｂの内部にブーツ２の靴幅方向に介設されてなる縦長のプラスチック製仕切板１ｂは、柔軟で丈夫ななプラスチック、例えば塩化ビニル樹脂、ポリエチレン樹脂、ポリプロピレン樹脂等で形成される。
【００１９】
前記仕切板１ｂには１又は複数個の空気流通孔１ｃが任意箇所に貫穿されている。このため、上部壁又は下部壁の圧縮空気注入・排出用バルブ１ｄから空気を圧入すると、縦長の仕切板１ｂで仕切られた長筒状袋体１ａは均等に膨出することとなり、ブーツの筒状部２ａの内壁とブーツの形状保持具１との密着が可能となる。
と同時に、前記仕切板１ｂの左右幅は、前記長筒状袋体に空気を圧入したときの最大幅より狭く、そのためブーツ筒状部２ａの内壁と、内部に縦長の仕切板１ｂが介設された部分の長筒状袋体１ａの外壁との間には図２（ｂ）に示すように、上下方向に空気が流通する溝状の間隙７ができる。
【００２０】
ブーツの形状保持具１は、前述のように圧縮空気の注入・排出により膨出・収縮が自在であるので、非使用時には、空気を排出した状態で減容して保存できるため、収納に場所をとらない利点がある。
また、空気を排出すれば折り畳むこともでき、非常にコンパクトになるため、携帯して外出し、ブーツ２を脱いだときその場所で空気を吹き込んで膨出させて使用でき、ブーツ２を型崩れさせることなく、直立させた状態で保持することが可能となる。
なお、ブーツの形状保持具１の上部壁又は下部壁に形成された圧縮空気注入・排出用バルブ１ｄには、浮き輪等に一般に採用される逆止弁付きバルブを用いるのが好ましい。
【００２１】
さらに、ブーツの形状保持具１の長筒状袋体１ａの表面に光触媒層３を形成することにより、抗菌・脱臭作用を付与することが好ましい。
前記光触媒層３は光触媒液５の噴霧か、又は塗布かにより形成すればよい。
【００２２】
１足のブーツ２の左右両足を並置して保管するため、図７に示すように、二つのブーツの形状保持具の１上部に、相互に連結するための連結具６をそれぞれ備えて左右一対のブーツ保持具としておくことが好ましい。
１足のブーツ２の左右両足に左右一対に構成されたブーツの形状保持具１をそれぞれ緩挿し、上部で前記連結具６により連結しておけば、左右両足のブーツが互いに補完しあって、折れることなく、かつ自立して倒れることもないので、ブーツ２の形状保持に大いに役立つと同時に整理整頓しやすくなる。
【００２３】
本考案のブーツの形状保持具１は、その長筒状袋体１ａに圧縮空気を注入して膨出させたときの形状が、ブーツの筒状部２ａに緩挿しやすい形状、特にブーツ２の脹脛部の内部形状に相当するよう形成されているため、ブーツ２の不使用時においてブーツ２の脹脛の形状が崩れることなく保持できる。
なお、該形状保持具１は、ブーツ２内に挿入設置時に、ブーツ２の筒状部２ａが折れ曲がらないような長さを有して形成されている。
そして、ブーツの形状保持具１は、その表面がブーツの筒状部２ａの内壁に広く接触する形状であることが望ましい。
【００２４】
図１に示すブーツの保持具１は、図２（ａ）に示すような踝の部分が細く、膝の部分が太い一般的なブーツ２を対象とした形状のものであり、筒状部２ａが短いブーツや、踝から膝にかけて筒状部２ａの太さが変化しないようなブーツ２の場合には、その内部形状に合わせてブーツの形状保持具１の形状も形成される。
【００２５】
さらに、透明なプラスチック製でなる長筒状袋体１ａの表面（外面）に光触媒層１ａを設けたブーツの保持具１においては、該ブーツの保持具１がブーツ２内に挿入された状態で上方から蛍光灯あるいは自然光が照射されると、照射された光が透明プラスチック製の長筒状袋体１ａを透過してその表面に形成されたの光触媒層３に当たって光触媒反応を起こす結果、光触媒層３が接触するブーツ２の内壁面に対して抗菌効果・消臭効果が発揮される。
【００２６】
本考案のブーツの形状保持具１の表面に形成される光触媒層３は、液状の光触媒液５を噴霧したり、塗布することにより形成されるが、ここで特に好ましい光触媒液５としては、アナターゼ型酸化チタンが挙げられる。
こうした光触媒としては、例えば特許第２８７５９９３号公報に、
「表面をペルオキソ基で修飾したアナターゼ微粒子が、水中に分散しているアナターゼ分散液」が好適に使用され、それは、チタン含有液体から沈殿法によって形成した水酸化チタン、もしくはチタン酸化物を水中に分散した液に、過酸化物を添加してペルオキソチタン溶液とした後に、ペルオキソチタン溶液を、８５〜２００℃において、４０〜２時間の加熱処理を行うことによって製造される。」と記載されたものが挙げられる。
【００２７】
光触媒は、酸化還元反応力を促進する物質であり、光が照射されると、電子（ｅ−）と正孔（ｈ＋）を発生させ、その電子と正孔により、水を水素と酸素に分解するという効果が生じるので、上記光触媒と接触している有機物は、酸化還元反応が促進され、前記有機物は酸化分解し、炭酸ガスや水に分解され、細菌は消滅し、臭い等は分解される。
光触媒、特にアナターゼ型酸化チタンは、太陽光や蛍光灯の紫外線によって光触媒反応を起こすので、アナターゼ型酸化チタンの光触媒層３を形成してなる本考案のブーツの形状保持具１は、室内等にブーツ２を保管する場合でも、自然光や蛍光灯からの紫外線を受けることによって、光触媒層３による抗菌・消臭効果が期待できる。
【００２８】
次ぎに、本考案のブーツの形状保持具１に抗菌・消臭作用を付与する手順についての一実施例を図３〜図５に基づいて説明する。
まず、図３に示すように、空気が圧入される前の平板状になっているブーツの形状保持具１にその圧縮空気注入・排出用バルブ１ｄから圧縮空気を注入・充填し、図４に示すように前記長筒状袋体１ａが膨出した状態とする。
次いで、図５に見られるように、圧縮空気が注入・充填された長筒状袋体１ａ１にスプレー４で、光触媒液５を噴霧し、乾燥させた後、図６に示すように、前記長筒状袋体１ａの全表面に光触媒層３を形成したブーツの形状保持具１を、ブーツ２の筒状部２ａに緩挿する。
そして、光触媒層３を表面に形成したブーツの形状保持具１を緩挿したブーツ２を、太陽光や蛍光灯の光が照射される場所に静置し、ブーツ内の抗菌・消臭作用を行わせる。
図５では、光触媒層１ａの形成に、スプレー４で光触媒液５を噴霧しているが、光触媒層１ａの形成は塗布など、光触媒液５をブーツの形状保持具１の表面に付着させることができる手段であればよい。
【００２９】
さらに光触媒層を形成する別の好ましい態様として、透明プラスチック製の長筒状袋体１ａを製作する際、その素材となる透明プラスチック製のシートの表面に光触媒層をコーテイング処理し、そうして得られた光触媒層を有する透明プラスチック製シートを裁断・接着して本考案のブーツの形状保持具１を製作することが挙げられる。
【００３０】
その他の実施例として、透明プラスチック製の長筒状袋体１ａの表面に適当な透明色によって花模様などを印刷してもよく、また、光触媒層３による抗菌・消臭効果を省略し、好みの色に着色されたプラスチック製の長筒状袋体１ａを用いたブーツの保持具１としてもよい。
【符号の説明】
【００３１】
１：ブーツの形状保持具
１ａ：長筒状袋体
１ｂ：仕切板
１ｃ：空気流通孔
１ｄ：圧縮空気注入・排出用バルブ
２：ブーツ
２ａ： ブーツ筒状部（脹脛部）
３：光触媒層
４：スプレー
５：光触媒液
６：連結具
７：間隙
【図１】
0003188786.tif 000003
【図２】
0003188786.tif 000004
【図３】
0003188786.tif 000005
【図４】
0003188786.tif 000006
【図５】
0003188786.tif 000007
【図６】
0003188786.tif 000008
【図７】
0003188786.tif 000009